(57)【要約】【課題】  ヘッダ解析のためのファイル読み込みのオーバーヘッドを最小限に抑えることができる。【解決手段】  画像のヘッダ情報を解析する際のファイル読み込みにおいて、最初の読み込みサイズをヘッダ記載内容にかかわらず予め設定された大部分のヘッダが解析完了すると予測される固定長とし読み込みを行い、ヘッダ解析を行う。【選択図】  図３
2006109063.tif 000002
【特許請求の範囲】
【請求項１】
可変長のヘッダを持つ構成をとるファイルを読み込み、その可変長のヘッダ部を解析するヘッダ解析手段を有する画像処理装置であって、
前記ヘッダ解析手段はヘッダ解析のためのファイル読み込みサイズをファイルヘッダの規格上の最大長未満の固定長を一度に読み込みこれに対して解析を行い、
ファイルヘッダの規格上の最大長未満の固定長での解析において、データサイズの不足により解析が完了しない場合は読み込みサイズを変更し再度読み込み後、再解析を行うことを特徴とする画像処理装置。
【請求項２】
請求項１に記載の画像処理装置であって、前記規格上の最大長未満の固定長は、平均的なヘッダがほぼ収まるサイズに予め設定された画像処理装置。
【請求項３】
請求項１に記載の画像処理装置であって、前記規格上の最大長未満の固定長は、画像撮影時作成されるヘッダサイズにより算出することを特徴とする画像処理装置。
【請求項４】
請求項１に記載の画像処理装置であって、前記規格上の最大長未満の固定長は、前記ヘッダ解析時に再計算することを特徴とする画像処理装置。
【請求項５】
請求項１に記載の画像処理装置であって、前記再解析はサイズを変えて複数回行うことを特徴とする画像処理装置。
【請求項６】
請求項１に記載の画像処理装置であって、前記再解析の読み込みサイズはファイルヘッダの規格上の最大長であることを特徴とする画像処理装置。
【請求項７】
請求項１に記載の画像処理装置であって、前記再解析の読み込みサイズはファイルサイズであることを特徴とする画像処理装置。
【発明の詳細な説明】
【技術分野】
【０００１】
本発明は、画像データを再生する画像処理装置に関するものである。
【背景技術】
【０００２】
従来、固体メモリ素子を有するメモリカードを記録媒体として、静止画像や動画像を記録再生する電子カメラ等の画像処理装置は既に市販されており、カラー液晶パネル等の電子ファインダーを備える電子カメラも販売されている。
【０００３】
また、上記電子ファインダーを通しての画像表示のあるいは画像情報表示のために画像ヘッダ等に記載されている付加情報を解析するものがある（例えば、特許文献１）。
【特許文献１】特開２００１−１１１９５５号公報
【発明の開示】
【発明が解決しようとする課題】
【０００４】
しかしながら、このような従来の電子カメラにおいてはメモリーカード等の記録媒体から表示及び解析すべき画像ファイルをファイルシステムを介して読み出し解析を行うのが一般的である。そして、ヘッダの解析においてはヘッダを構成する複数の要素の解析の都度、次に解析すべき要素をファイルシステムを介して再度読み込むため読み込みのためのオーバーヘッドが複数回有り、ヘッダ解析の時間がかかるとう問題があった。
【０００５】
一方、このように複数のヘッダ構成要素を解析の都度ファイルから読み込まない場合は、ヘッダの規格上保障されたサイズを一度にファイルシステムを介してメモリ上に読み込み解析する手法もあるが、この場合実際のヘッダサイズが小さいにもかかわらず必要以上のサイズを読み込むことになり読み込みのための時間がかかるという問題があった。
【０００６】
本発明は上述した問題点を解決するためのものであり、ヘッダ解析のためのファイル読み込みのオーバーヘッドを最小限に抑えることができる画像処理装置を提供することを目的とする。
【課題を解決するための手段】
【０００７】
上記目的を達成するために、本発明の画像処理装置は、可変長のヘッダを持つ構成をとるファイルを読み込み、その可変長のヘッダ部を解析するヘッダ解析手段を有する画像処理装置であって、前記ヘッダ解析手段はヘッダ解析のためのファイル読み込みサイズをファイルヘッダの規格上の最大長未満の固定長を一度に読み込みこれに対して解析を行い、ファイルヘッダの規格上の最大長未満の固定長での解析において、データサイズの不足により解析が完了しない場合は読み込みサイズを変更し再度読み込み後、再解析を行うことを特徴とする。
【発明の効果】
【０００８】
本発明によれば、ヘッダ解析のためのファイル読み込みのオーバーヘッドを最小限に抑えることができる。
【発明を実施するための最良の形態】
【０００９】
以下、図面を参照して本発明の実施の形態を説明する。
【００１０】
図１は、本発明に係る画像撮影及び再生装置のブロック構成を示す図である。図１において、１００が画像撮影及び再生装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１１】
さらに、画像処理回路２０においては、撮像した画像データを用いて所定の演算処理を行い、得られた演算結果に基づいてＴＴＬ方式のＡＷＢ（オートホワイトバランス）処理も行っている。２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。また、再生においては、記録媒体２００或いは２１０からメモリ３０に読み出された圧縮画像データは、画像処理２０によって伸張され、画像表示メモリ２４に展開される。
【００１２】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８はＯＳＤによる各種情報表示の重畳が可能であり、表示内容としては、シングルショット／連写撮影表示、セルフタイマー表示、圧縮率表示、記録画素数表示、記録枚数表示、表示画像通し番号表示、残撮影可能枚数表示、検索キーアイコン表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。これら各種情報表示のうち、撮影時条件及び設定は、撮影時に各情報を画像ヘッダに格納し、再生時に動画像ヘッダを解析抽出することにより取得ができ、再生時においても画像の撮影時の条件を参照することが可能となる。
【００１３】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００１４】
４０は絞り機能を備えるシャッター１２を制御する露光制御手段であり、フラッシュ４８と連携することによりフラッシュ調光機能も有するものである。４２は撮影レンズ１０のフォーカシングを制御する測距制御手段、４４は撮影レンズ１０のズーミングを制御するズーム制御手段、４６はバリアである保護手段１０２の動作を制御するバリア制御手段である。４８はフラッシュであり、ＡＦ補助光の投光機能、フラッシュ調光機能も有する。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００１５】
５０は画像処理装置１００全体を制御するシステム制御回路、５２はシステム制御回路５０の動作用の定数、変数、プログラム等を記憶するメモリである。５４はシステム制御回路５０でのプログラムの実行に応じて音声等を用いて動作状態やメッセージ等を表示するスピーカー等の表示部であり例えばＬＥＤ、発音素子等の組み合わせにより構成されている。また、表示部５４は、その一部の機能が光学ファインダー１０４内に設置されている。また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。５６は電気的に消去・記録可能な不揮発性メモリであり、例えばＥＥＰＲＯＭ等が用いられる。６０、６２、６４及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００１６】
ここで、これらの操作手段の具体的な説明を行う。６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００１７】
７０は各種ボタンやタッチパネル等からなる操作部で、メニューボタン、セットボタン、マクロボタン、フラッシュ設定ボタン、単写／連写／セルフタイマー切り替えボタン、メニュー移動＋（プラス）ボタン、メニュー移動−（マイナス）ボタン、再生画像送り＋（プラス）ボタン、再生画像送り−（マイナス）ボタン等がある。
【００１８】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００１９】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００２０】
１０２は、画像処理装置１００のレンズ１０を含む撮像部を覆う事により、撮像部の汚れや破損を防止するバリアである保護手段である。１０４は光学ファインダであり、画像表示部２８による電子ファインダー機能を使用すること無しに、光学ファインダのみを用いて撮影を行うことが可能である。１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信手段１１０により画像処理装置１００を他の機器と接続するコネクタ或いは無線通信の場合はアンテナである。
【００２１】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００２２】
図２は、本発明の実施形態の操作部および表示部の模式図である。３０１は再生画像送り＋（プラス）ボタン、３０２は再生画像送り−（マイナス）ボタン、３０３は画像及び各種情報表示が可能な表示部である。表示部３０３の詳細について説明する。３０７は画像通し番号である。３０８は再生画像の撮影日付である。３０６は撮影時の撮影モードを示している。３０５は画像の圧縮率および画素数を示している。３０４は画像処理装置内の記録枚数と現在の再生画像の順番を表示している。この例では画像処理装置内に２８０個の画像が存在し、現在の画像位置は５４番目ということである。
【００２３】
図２乃至図４を参照して、実施形態の動作を説明する。図３は画像ヘッダ解析処理のフローチャートである。
【００２４】
画像ヘッダ内各種情報取得のためにヘッダ解析の指示があったならば、ヘッダ解析のためのファイル読み込みサイズを規格最大長未満の固定長に設定して（Ｓ３０１）ヘッダ読み込み解析処理を行う（Ｓ３０２）。ヘッダ読み込み解析処理が正常に終了したならば（Ｓ３０３）、処理を抜ける。また、データ長不足以外の要因で解析が失敗したならば（Ｓ３０４）処理を抜ける。
【００２５】
一方、データ長不足により解析に失敗した場合は（Ｓ３０４）、ヘッダ解析のためのファイル読み込みサイズを規格最大長にして（Ｓ３０５）、ヘッダ読み込み解析処理を行う（Ｓ３０６）。ヘッダ読み込み解析処理が正常に終了したならば（Ｓ３０７）処理を抜ける。また、データ長不足以外の要因で解析が失敗したならば（Ｓ３０８）処理を抜ける。
【００２６】
一方、データ長不足により解析に失敗した場合は（Ｓ３０８）、ヘッダ解析のためのファイル読み込みサイズをファイルサイズにして（Ｓ３０９）ヘッダ読み込み解析処理を行い（Ｓ３１０）処理を抜ける。
【００２７】
なお。Ｓ３０１における固定長は、大分部の画像ファイルのヘッダを解析するのに十分であると想定される最小限の固定サイズとしているが、このサイズは例えば、解析の度に解析に必要とされた実際のヘッダサイズを算出し、これを反映し、最初の読み出しサイズであるＳ３０１における読み込みを変更しても良い。
【００２８】
また、Ｓ３０１における固定長は、大分部の画像ファイルのヘッダを解析するのに十分であると想定される最小限の固定サイズとしているが、このサイズは例えば、画像撮影時にヘッダを作成する際に、ヘッダサイズを算出し、これを反映し、最初の読み出しサイズであるＳ３０１における読み込みサイズを変更しても良い。
【００２９】
図４はヘッダ読み込み解析処理のフローチャートである。ヘッダ読み込み解析処理の指示があったならば、読み込みサイズを確認し（Ｓ４０１）、設定された読み込みサイズがファイルサイズ未満の場合は設定されたサイズを読み込みサイズとし（Ｓ４０２）、設定された読み込みサイズがファイルサイズ以上の場合は読み込みサイズをファイルサイズとして（Ｓ４０３）、ファイルの読み込みを行い、解析を行う（Ｓ４０４）。
【００３０】
解析に成功したならば（Ｓ４０５）解析成功を応答し（Ｓ４０７）、処理を終了する。読み込みサイズ不足により解析が失敗したならば（Ｓ４０６）読み込みサイズ不足を応答し（Ｓ４０８）処理を終了する。読み込みサイズ不足以外の要因で解析に失敗したならばヘッダ解析不能を応答し（Ｓ４０９）処理を終了する。
【００３１】
画像のヘッダ情報を解析する際のファイル読み込みにおいて、最初の読み込みサイズをヘッダ記載内容にかかわらず予め設定された大部分のヘッダが解析完了すると予測される固定長とし読み込みを行い、ヘッダ解析を行う。
【００３２】
これにより大多数のヘッダは、一度の最小限の読み込みにより解析が完了するため、解析を行いながらその都度ファイルを読み込む場合にかかるオーバーヘッド（ファイルのシーク等）が不要となり高速にヘッダの解析が可能となる。
【００３３】
以上のフローチャートによれば、固定長の読み込みデータにおいてヘッダ解析がデータ長不足により解析できなかった場合は、ヘッダの規格最大サイズにおいて読み込みを行い、ヘッダ解析を行う。これにより固定長の読み込みにおいて解析不能であったヘッダも、２回目の読み込みにより解析が完了するため、解析を行いながらその都度ファイルを読み込む場合にかかるオーバーヘッド（ファイルのシーク等）が不要となり高速にヘッダの解析が可能となる。また。大部分のヘッダは固定長の最小限の読み込みにより解析が完了するためこの処理を行うことも稀である。
【００３４】
また、ヘッダの規格最大サイズにおいての読み出しデータにおいてヘッダ解析がデータ長不足により解析できなかった場合は、ファイル全体の読み込みを行い、ヘッダ解析を行う。
【００３５】
これによりヘッダの規格最大サイズの読み込みにおいて解析不能であったヘッダも、３回目の読み込みにより解析が完了するため、解析を行いながらその都度ファイルを読み込む場合にかかるオーバーヘッド（ファイルのシーク等）が不要となり高速にヘッダの解析が可能となる。また、この処理を行うのはヘッダが規格違反等のイレギュラーな場合でありこの処理を行うことも稀ではあるが、このような規格違反のファイルも最大限解析を行うことができる。
【００３６】
以上説明したように、本実施形態によれば、ヘッダ解析のためのファイル読み込みサイズをファイルヘッダの規格上の最大長未満の固定長を一度に読み込みこれに対して解析を行い、ファイルヘッダの規格上の最大長未満の固定長での解析において、データサイズの不足により解析が完了しない場合は読み込みサイズを変更し再度読み込み後、再解析を行う。これにより、多くの場合においてヘッダ解析のためのファイル読み込みのオーバーヘッドを最小限に抑えることができる。
【００３７】
また、規格上の最大長未満の固定長は平均的なヘッダがほぼ収まるサイズに予め設定されており、多くの場合においてヘッダ解析のためのファイル読み込みが一度で完了し解析のためのオーバーヘッドを最小限に抑えることができる。
【００３８】
また、規格上の最大長未満の固定長は画像撮影時作成されるヘッダサイズにより算出するので、最適な読み込みサイズを画像処理装置自らが算出することができる。
【００３９】
また、最大長未満の固定長はヘッダ解析時に再計算するこので、最適な読み込みサイズを画像処理装置自らが算出することができる。
【００４０】
また、再解析はサイズを変えて複数回行うので、多くの画像において最適な規格上の最大長未満の固定長に収まらないヘッダが存在した場合でもエラー無くヘッダの解析を行うことができる。
【００４１】
また、再解析の読み込みサイズはファイルヘッダの規格上の最大長とすることで、規格に合致しているファイルの解析においては最大２回目の読み込みにおいて解析が完了する。
【００４２】
また、再解析の読み込みサイズはファイルサイズであることを特徴とする画像処理装置を提供することが可能となり、規格に反しているファイルにおいても解析を行うことが可能となる。
【図面の簡単な説明】
【００４３】
【図１】本発明の一実施形態の構成ブロック図である。
【図２】本実施形態の表示操作部の模式図である。
【図３】本実施形態のヘッダ解析処理のフローチャートである。
【図４】本実施形態のヘッダ読み込み解析処理のフローチャートである。
【符号の説明】
【００４４】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
【図１】
2006109063.tif 000003
【図２】
2006109063.tif 000004
【図３】
2006109063.tif 000005
【図４】
2006109063.tif 000006